(57)【要約】【課題】ホース組付け装置を提供する。【解決手段】圧入により組付けがなされるホース２とパイプ５のうちパイプ５を保持する保持部材６と、ホース２を固定する固定部材３と、固定部材３を保持部材６に対して相対スライドさせることでホース２とパイプ５との圧入を可能とするスライド機構７と、スライド機構７のベース側８に支持され、その傾動動作によりスライド機構７のスライド側９をベース側８に対して相対スライドさせるレバー部材１３とを備えた組付け装置１において、レバー部材１３には、レバー部材１３の傾動動作によりスライド側９を圧入方向に押圧する押圧部１３ａが設けられ、押圧部１３ａはスライド側９の被押圧面９ａ上を回動するローラ１３ｂで構成されている。【選択図】図１
2015009330.tif 000002
【特許請求の範囲】
【請求項１】
圧入により組付けがなされる組付け部材と被組付け部材のうち該被組付け部材を保持する保持部材と、
前記組付け部材を固定する固定部材と、
前記固定部材を前記保持部材に対して相対スライドさせることで前記組付け部材と前記被組付け部材との圧入を可能とするスライド機構と、
該スライド機構のベース側に支持され、その傾動動作により前記スライド機構のスライド側を前記ベース側に対して相対スライドさせるレバー部材と、
を備えた組付け装置において、
前記レバー部材には、前記レバー部材の傾動動作により前記スライド側を前記圧入方向に押圧する押圧部が設けられ、該押圧部は前記スライド側の被押圧面上を回動するローラで構成されていることを特徴とする組付け装置。
【請求項２】
前記保持部材には、前記被組付け部材に設けられた抜け止め部が係止する係止部が設けられていることを特徴とする請求項１に記載の組付け装置。
【発明の詳細な説明】
【技術分野】
【０００１】
本発明は、組付け装置に関する。
【背景技術】
【０００２】
例えば自動変速機の潤滑油を加熱・冷却するミッションウォーマには、潤滑油や冷却水を導入するためのホースが複数取り付けられている。ミッションウォーマへのホースの組み付けは、従来、治具等で固定されたミッションウォーマのパイプに対して、作業者が手作業により、ホースを圧入することで行われている。しかし、ホースのように変形し易い部材をパイプに圧入することは難しく、ホースの圧入を無理に行おうとすると、圧入対象であるパイプに過剰な負荷が掛かり、変形してしまうことがあった。このような変形を避けるためには慎重に上記圧入作業を行うよりほかないが、そうすると、今度は作業効率が低下する。そこで、作業効率の改善の観点から、例えば、下記特許文献１のような組付け装置が開示されている。
【先行技術文献】
【特許文献】
【０００３】
【特許文献１】特開平６−５５４６３号公報
【発明の概要】
【発明が解決しようとする課題】
【０００４】
上記特許文献１に記載の組付け装置は、ホースの組付け部を推進させる推進手段が操作レバーに設けられている。推進手段は、操作レバーの枢着点より上方の位置に設けられた長穴と、コレットホルダに形成されたピンとの係合によって連結された構成となっている。そのため、ホースを圧入するとき、圧入荷重が操作レバーとコレットホルダとを連結しているピンに集中する。これでは、上記組付け装置を繰り返し使用することで、ピンが金属疲労によって破損する事態が懸念されるため、量産用には向かない。特に、ミッションウォーマのパイプ外周には、ホースの抜止め強化を図るためにスプールと呼ばれる大径部を設けることがあるが、このような大径部を設けたパイプにホースを圧入しようとすると、より大きな圧入荷重が必要となるため、上記組付け装置を使用することは難しい。
【０００５】
本発明は、斯かる実情に鑑み、高い圧入荷重を要する場合であっても、破損し難く、耐久性の高い組付け装置を提供することを目的とする。
【課題を解決するための手段】
【０００６】
上記の課題を解決するため、本発明の組付け装置は、圧入により組付けがなされる組付け部材と被組付け部材のうち被組付け部材を保持する保持部材と、組付け部材を固定する固定部材と、固定部材を保持部材に対して相対スライドさせることで組付け部材と被組付け部材との圧入を可能とするスライド機構と、スライド機構のベース側に支持され、その傾動動作によりスライド機構のスライド側をベース側に対して相対スライドさせるレバー部材と、を備えた組付け装置において、レバー部材には、レバー部材の傾動動作によりスライド側を圧入方向に押圧する押圧部が設けられ、押圧部はスライド側の被押圧面上を回動するローラで構成されている。
【０００７】
上記の構成とすることにより、組付け部材を被組付け部材に組付ける際に、レバー部材に設けられた押圧部が、スライド側の被押圧面を押圧して、固定部材を圧入方向にスライド移動させることができる。これにより、固定部材に固定されている組付け部材を、保持部材に保持されている被組付け部材に圧入することができる。このとき、押圧部には、スライド側（部材）の被押圧面を回動するローラが設けられているので、レバー部材が傾動（回動）するにつれてローラと被押圧面との当接位置を変えながら、ローラ（レバー部材）でスライド機構のスライド側（部材）を圧入方向に沿って押圧し続けることができる。この場合、ローラはレバー部材からの圧入方向以外の方向への押圧力成分を被押圧面上で回動することにより逃がすことができる。よって、ローラに過度な荷重が作用する事態を避けて、安定した圧入作業を長期間継続して実施することができる。
【０００８】
また、保持部材には、被組付け部材に設けられた抜け止め部が係止する係止部を設けてもよい。これにより、被組付け部材に組付け部材を組付ける際に、被組付け部材に対して、高い圧入荷重がかかっても、被組付け部材に設けられた抜け止め部が係止部によって係止されるため、被組付け部材が係止部以外の部位で変形したり、破損したりするのを防止することができる。
【発明の効果】
【０００９】
以上のことから、本発明の組付け装置によれば、高い圧入荷重を要する場合であっても、破損し難く、耐久性の高い組付け装置を提供することができる。
【図面の簡単な説明】
【００１０】
【図１】本発明の組付け装置に係る正面図である。
【図２】図１のＡ−Ａ線断面図である。
【図３】図１のＢ−Ｂ線拡大断面図である。
【図４】保持部材の上面図である。
【図５】（ａ）〜（ｃ）は、ローラと被押圧面との当接位置の変化を示した部分拡大図である。
【図６】図１のレバー部材を傾動させた状態を示す正面図である。
【発明を実施するための形態】
【００１１】
以下、本発明の組付け装置の実施形態を図１〜図６に基いて説明する。
【００１２】
図１は、本発明の組付け装置１の概略図である。図２は、固定部材３の概要を示す断面図である。図３は、保持部材６にパイプ５が保持されている状態を示している断面図である。図４は、パイプ５が保持部材６に保持された状態を示す上面図である。図５は、レバー部材１３の押圧部１３ａに設けられたローラ１３ｂがスライド側９の被押圧面９ａ上を移動する態様を示す図である。図６は、本発明の組付け装置１に設けられたレバー部材１３を傾動させてパイプ５にホース２を組み付ける態様を示している概略図である。
【００１３】
図１に示すように、組付け装置１は、ホース２を固定する固定部材３と、ミッションウォーマ４のパイプ５を保持する保持部材６と、固定部材３を保持部材６に対して相対スライドさせることでホース２とパイプ５とを組み付けるスライド機構７と、スライド機構７のベース側８に支持され、その傾動動作により、スライド機構７のスライド側９をベース側８に対して相対スライドさせるレバー部材１３を有している。スライド側９は、ベース側８に設けられたレール１４を介してスライド可能に設けられている。また、スライド側９と、ベース側８とは、弾性部材１１で接続されており、スライド側９はベース側８から離反する方向に常時付勢されている。
【００１４】
尚、本実施形態におけるベース側８とは、保持部材６と、レバー部材１３と、レバー部材１３を傾動可能に支持する支柱１２と、スライド側９のスライド方向を規制するレール１４とで構成されている。また、本実施形態におけるスライド側９とは、レバー部材１３の傾動動作によってスライドするものであって、固定部材３と、固定部材３と一体でスライドするスライド部材１０とで構成されている。
【００１５】
レバー部材１３には、スライド側９（部材）を圧入方向に押圧する押圧部１３ａが設けられている。押圧部１３ａには、スライド側９の被押圧面９ａ上を回動するローラ１３ｂが設けられている。これにより、レバー部材１３の傾動により、押圧部１３ａがスライド側９の被押圧面９ａを押圧しつつ、被押圧面９ａ上をローラ１３ｂが回動する。
【００１６】
図２に示すように、スライド側９を構成する固定部材３には、固定部材３のホース取付部３ｃを開閉する開閉部材３ｄが設けられ、開閉部材３ｄの一方側には、開閉部材３ｄを開閉させる開閉ピン３ａが設けられ、開閉部材３ｄの他方側には、ホース２を固定した状態で開閉部材３ｄを保持するためのロック手段３ｂが設けられている。
【００１７】
また、図３に示すように、保持部材６には、ミッションウォーマ４のパイプ５が取り付けられる溝部６ａと、パイプ５に設けられた抜け止め部としてのスプール５ａを係止する係止部６ｂとが設けられている。係止部６ｂは溝部６ａの上部に設けられている。また、保持部材６には、パイプ５のスプール５ａを全周に亘って係止するため、溝部６ａの開口側を閉じる閉じ部材６ｃが設けられている（図４）。
【００１８】
図５（ａ）〜（ｃ）に示されるように、レバー部材１３の傾動によって、スライド側９の被押圧面９ａ上をローラ１３ｂが回動する。
【００１９】
レバー部材１３を傾動させ、押圧部１３ａをスライド側９の被押圧面９ａに当接させる（図５（ａ））。この状態からさらにレバー部材１３を傾動させると、図５（ｂ）および図５（ｃ）に示されるように、被押圧面９ａに作用する力の方向（Ｘ成分）は、レバー部材１３の傾動角度に従って変化する。そのため、押圧部１３ａから被押圧面９ａに作用する力（Ｘ方向）は、被押圧面９ａと直交する方向に作用する力（Ｙ成分）と、被押圧面９ａに沿って作用する力（Ｚ成分）に分けることができる。
【００２０】
次に、本発明の組付け装置１の使用態様について図面に基いて説明する。
【００２１】
図１に示されるように、組付け装置１のベース側８の一端側に配された保持部材６にミッションウォーマ４のパイプ５を保持させる。具体的には、保持部材６に設けられた溝部６ａの開口側（図４の右側）からパイプ５を取り付けた後、パイプ５に設けられたスプール５ａを係止部６ｂに係止させ、閉じ部材６ｃを閉じることによりスプール５ａの全周を係止する。
【００２２】
一方、組付け装置１のスライド側９の固定部材３には、パイプ５に組み付けるホース２が固定される。ホース２の固定部材３への取り付けは、固定部材３に設けられた開閉部材３ｄを開いてホース取付部３ｃを開口し、ホース２を取り付ける。ホース取付部３ｃにホース２を取り付けた後、開閉部材３ｄを閉じ、固定部材３に設けられたロック手段３ｂにより、開閉部材３ｄを固定する。
【００２３】
固定部材３および保持部材６に、ホース２とパイプ５とをそれぞれ取り付けた後、レバー部材１３を傾動させる。図６に示すように、レバー部材の１３の傾動により、レバー部材１３に設けられた押圧部１３ａによって、スライド側９（部材）の被押圧面９ａが押圧され、スライド側９が、ベース側８に対して相対移動（スライド）する。これにより、スライド側９の固定部材に固定されたホース２が、ベース側の保持部材に保持されたパイプ５に圧入される。
【００２４】
図５（ａ）〜図５（ｃ）に示されるように、レバー部材１３の押圧部１３ａには、回動可能なローラ１３ｂが設けられている。そのため、レバー部材１３の傾動角度が大きくなると共に、押圧部１３ａに設けられたローラ１３ｂが回転し、スライド側９と押圧部１３ａとの当接位置が変化する（図５のＰ0〜Ｐ2）。このとき、押圧部１３ａが被押圧面９ａを押圧する力（Ｘ成分の力）は、被押圧面９ａと直交する方向に作用する力（Ｙ成分の力）と、被押圧面９ａに沿って作用する力（Ｚ成分の力）とに分けられる。スライド側９を押圧する押圧部１３ａにスライド側９の被押圧面９ａ上を回動するローラ１３ｂを設けたことにより、レバー部材１３の傾動角度を大きくしても、被押圧面９ａに直交する方向に作用する力（Ｙ成分の力）、すなわち、圧入方向成分のみを被押圧面９ａに作用させることができる。これにより、スライド側９を圧入方向に沿って押圧し続けることができる。また、被押圧面９ａに沿って作用する力（Ｚ成分の力）、すなわち、圧入方向以外の方向への押圧力成分は、押圧部材１３ａに設けられたローラ１３ｂが回転することによって、逃がすことができる。
【００２５】
また、保持部材６に保持されているパイプ５は、パイプ５よりも大径のスプール５ａが設けられている。このスプール５ａの下方側が係止部６ｂで係止されることにより、ホース２の圧入方向への移動が規制される。
【００２６】
以上のことから、本発明の組付け装置１は、固定部材３を有するスライド側９をベース側８の保持部材６にスライドさせることにより、固定部材３に取り付けられたホース２を保持部材６に保持されたパイプ５に圧入することができる。ベース側８の支柱１２に設けれたレバー部材１３を傾動させることにより、レバー部材１３に設けられた押圧部１３ａが、スライド側９の被押圧面９ａを押圧することにより、スライド側９の固定部材３を圧入方向にスライドさせることができる。
【００２７】
スライド側９（部材）を押圧するレバー部材１３の押圧部１３ａに、被押圧面９ａ上を回動するローラ１３ｂを設けたことにより、レバー部材１３を傾動させても、スライド側９にはスライド方向（圧入方向の成分）の押圧力のみを作用させることができる（図５のＹ成分）。また、圧入方向以外の方向への押圧力成分（図５のＺ成分）は、ローラ１３ｂの回転によって逃がされるので、ローラ１３ｂに過度の荷重が作用するのを防止することができる。そのため、押圧部１３ａがスライド側９の被押圧面９ａを過度に押圧して、押圧部１３ａやローラ１３ｂ等を破損させたり、被押圧面９ａを摩擦により摩耗したりするのを防止することができる。
【００２８】
また、パイプ５を保持する保持部材６を、パイプ５が挿入される溝部６ａと、溝部６ａの上部に設けられ、パイプ５に設けられたスプール５ａの下方側を係止する係止部６ｂと、スプール５ａの下方側を全周に亘って係止する閉じ部材６ｃとで構成することにより、パイプ５の保持部材への取り付けを容易にし、さらに、スプール５ａの全周を係止させることができる。これにより、パイプ５にホース２を組み付ける際に、パイプ５が圧入方向から受ける圧力をスプール５ａの下方側の係止部６ｂで受けることができる。そのため、ホース２の圧入によってパイプ５が、圧入方向へ移動するのを防止でき、ミッションウォーマ４とパイプ５との接合部および、ミッションウォーマ４とスプール５ａとの間に形成されたＲ部に過度な荷重が作用するのを防ぐことができる。これにより、ホース２の圧入によってパイプ５が変形するのを防止することができる。
【００２９】
また、本実施形態では保持部材６に閉じ部材６ｃ設け、スプール５ａの下方側を全周に亘ってを保持する構成としているが、これに限らず、圧入の途中でパイプが外れない構成であればよい。例えば、保持部材６に、パイプ５とスプール５ａが嵌合可能なＵ字型の溝部を設け、この溝部にパイプ５とスプール５ａとを嵌合させて保持させる構成としてもよい。
【符号の説明】
【００３０】
１        組付け装置
２        ホース
３        固定部材
４        ミッションウォーマ
５        パイプ
５ａ      スプール
６        保持部材
６ｂ      係止部
７        スライド機構
８        ベース側（部材）
９        スライド側（部材）
９ａ      被押圧面
１０      スライド部材
１３      レバー部材
１３ａ    押圧部
１３ｂ    ローラ
【図１】
2015009330.tif 000003
【図２】
2015009330.tif 000004
【図３】
2015009330.tif 000005
【図４】
2015009330.tif 000006
【図５】
2015009330.tif 000007
【図６】
2015009330.tif 000008